(57)【要約】【課題】  個々の機能を選択的に実施することも、複数の機能を同時に実施することもできる半導体発光装置を提供する。【解決手段】  殺菌に有効な光を発する機能を有する発光素子、オゾン発生に有効な光を発する機能を有する発光素子、光触媒に有効な光を発する機能を有する発光素子、および照明光を発する機能を有するかまたは蛍光体を光らせることにより照明光を発する機能を有する発光素子のうちの少なくとも２種類の発光素子を有しており、各発光素子が互いに並列に接続されている。【選択図】  図１
2005101458.tif 000002
【特許請求の範囲】
【請求項１】
殺菌に有効な光を発する機能を有する発光素子、オゾン発生に有効な光を発する機能を有する発光素子、光触媒に有効な光を発する機能を有する発光素子、および照明光を発する機能を有するかまたは蛍光体を光らせることにより照明光を発する機能を有する発光素子のうちの少なくとも２種類の発光素子を有することを特徴とする半導体発光装置。
【請求項２】
前記殺菌に有効な光を発する機能を有する発光素子が、発光波長１５０ｎｍ〜３５０ｎｍの発光素子である請求項１記載の半導体発光装置。
【請求項３】
前記殺菌に有効な光を発する機能を有する発光素子が、発光波長２００ｎｍ〜３００ｎｍの発光素子である請求項１記載の半導体発光装置。
【請求項４】
前記オゾン発生に有効な光を発する機能を有する発光素子が、発光波長１８０ｎｍ〜１９０ｎｍの発光素子である請求項１記載の半導体発光装置。
【請求項５】
前記光触媒に有効な光を発する機能を有する発光素子が、発光波長１００ｎｍ〜５５０ｎｍの発光素子である請求項１記載の半導体発光装置。
【請求項６】
前記光触媒に有効な光を発する機能を有する発光素子が、発光波長１００ｎｍ〜４００ｎｍの発光素子である請求項１記載の半導体発光装置。
【請求項７】
前記蛍光体を光らせることにより照明光を発する機能を有する発光素子が青色発光素子であり、蛍光体として赤色蛍光体と緑色蛍光体とが用いられている請求項１記載の半導体発光装置。
【請求項８】
前記蛍光体を光らせることにより照明光を発する機能を有する発光素子が青色発光素子であり、蛍光体として黄色蛍光体が用いられている請求項１記載の半導体発光装置。
【請求項９】
前記蛍光体を光らせることにより照明光を発する機能を有する発光素子が紫外線発光素子であり、蛍光体として赤色蛍光体と緑色蛍光体と青色蛍光体のうち一つ以上が用いられている請求項１記載の半導体発光装置。
【請求項１０】
前記殺菌に有効な光を発する機能を有する発光素子、前記オゾン発生に有効な光を発する機能を有する発光素子および前記照明光を発する機能を有する発光素子のうちの１個の発光素子と、前記光触媒に有効な光を発する機能を有する発光素子とを備えており、これらの発光素子の光路内に光触媒が存在しない領域がある請求項１、２、３、４、５または６記載の半導体発光装置。
【請求項１１】
前記殺菌に有効な光を発する機能を有する発光素子、前記オゾン発生に有効な光を発する機能を有する発光素子および前記照明光を発する機能を有する発光素子のうちの１個の発光素子と、前記光触媒に有効な光を発する機能を有する発光素子とを備えており、これらの発光素子の全ての光路内に光触媒が存在しており、かつ、前記殺菌に有効な光を発する機能を有する発光素子から出射した光、前記オゾン発生に有効な光を発する機能を有する発光素子から出射した光および前記照明光を発する機能を有する発光素子から出射した光が光触媒を通過するものである請求項１、２、３、４、５または６記載の半導体発光装置。
【請求項１２】
前記殺菌に有効な光を発する機能を有する発光素子または前記オゾン発生に有効な光を発する機能を有する発光素子と、蛍光体を光らせることにより照明光を発する機能を有する発光素子とを有しており、これらの発光素子の光路内に蛍光体が存在しない領域がある請求項１、２、３、４、７、８または９記載の半導体発光装置。
【請求項１３】
前記殺菌に有効な光を発する機能を有する発光素子または前記オゾン発生に有効な光を発する機能を有する発光素子と、蛍光体を光らせることにより照明光を発する機能を有する発光素子とを有しており、これらの発光素子の全ての光路内に蛍光体が存在しており、かつ、前記殺菌に有効な光を発する機能を有する発光素子から出射した光および前記オゾン発生に有効な光を発する機能を有する発光素子から出射した光が蛍光体を通過するものである請求項１、２、３、４、７、８または９記載の半導体発光装置。
【請求項１４】
前記光触媒に有効な光を発する機能を有する発光素子および蛍光体を光らせることにより照明光を発する機能を有する発光素子を有しており、全ての光路内に光触媒と蛍光体とが存在している請求項１、５、６、７、８または９記載の半導体発光装置。
【請求項１５】
前記光触媒に有効な光を発する機能を有する発光素子および蛍光体を光らせることにより照明光を発する機能を有する発光素子を有しており、一部の光路内に光触媒が存在しており、他の一部の光路内に蛍光体が存在している請求項１、５、６、７、８または９記載の半導体発光装置。
【請求項１６】
前記殺菌に有効な光を発する機能を有する発光素子または前記オゾン発生に有効な光を発する機能を有する発光素子と、光触媒に有効な光を発する機能を有する発光素子と、蛍光体を光らせることにより照明光を発する機能を有する発光素子とを有しており、全ての光路内に光触媒と蛍光体とが存在している請求項１、２、３、４、５、６、７、８または９記載の半導体発光装置。
【請求項１７】
前記殺菌に有効な光を発する機能を有する発光素子または前記オゾン発生に有効な光を発する機能を有する発光素子と、光触媒に有効な光を発する機能を有する発光素子と、蛍光体を光らせることにより照明光を発する機能を有する発光素子とを有しており、一部の光路内に光触媒が存在しており、他の一部の光路内に蛍光体が存在している請求項１、２、３、４、５、６、７、８または９記載の半導体発光装置。
【請求項１８】
前記殺菌に有効な光を発する機能を有する発光素子または前記オゾン発生に有効な光を発する機能を有する発光素子と、光触媒に有効な光を発する機能を有する発光素子と、蛍光体を光らせることにより照明光を発する機能を有する発光素子とを有しており、一部の光路内に光触媒が存在しており、他の一部の光路内に蛍光体が存在しており、さらに他の一部の光路内には光触媒および蛍光体が存在していない請求項１、２、３、４、５、６、７、８または９記載の半導体発光装置。
【請求項１９】
各発光素子が互いに並列に配線されている請求項１、２、３、４、５、６、７、８、９、１０、１１、１２、１３、１４、１５、１６、１７または１８記載の半導体発光装置。
【請求項２０】
複数の発光素子のうちの少なくとも１つの発光素子としてダイヤモンドＬＥＤチップが用いられている請求項１、２、３、４、５、６、７、８、９、１０、１１、１２、１３、１６、１７、１８または１９記載の半導体発光装置。
【請求項２１】
複数の発光素子のうちの少なくとも１つの発光素子としてＧａＡｌＩｎＮを用いて形成された発光素子が用いられている請求項１、２、３、４、５、６、７、８、９、１０、１１、１２、１３、１６、１７、１８または１９記載の半導体発光装置。
【発明の詳細な説明】
【技術分野】
【０００１】
本発明は、発光素子を利用して、紫外線殺菌、オゾン発生、光触媒による脱臭および照明等の機能を提供する半導体発光装置に関する。
【背景技術】
【０００２】
従来の半導体発光装置の一例としては、ダイヤモンド紫外線発光素子を用いた装置がある（例えば、特許文献１参照）。このダイヤモンド紫外線発光素子を用いた装置は、電流注入によって２３５ｎｍの自由励起子再結合発光するダイヤモンド紫外線発光素子を用いて形成されており、このダイヤモンド紫外線発光素子が、紫外線をより波長の長い２次光に変換する波長変換材料で覆われており、蛍光体（即ち、波長変換材料）による２次光発生、光触媒（即ち、ダイヤモンド紫外線発光素子）による殺菌・分解、およびダイヤモンド紫外線発光素子が発光した紫外線によるオゾン製造等を、個別に行なう装置である。
【０００３】
また、従来の半導体発光装置の他の例としては、半導体チップを封止してなる発光ダイオードがある（例えば、特許文献２参照）。この発光ダイオードは、着色部材、蛍光部材、光触媒、蓄光部材および抗菌部材のうちの１つの部材、または着色部材、蛍光部材、光触媒、蓄光部材および抗菌部材から選択された少なくとも２つの部材を組み合わせて形成された機能性部材を備えてなる。
【特許文献１】特開２００１−８５７３４号公報
【特許文献２】特開平１１−１６３４１７号公報
【発明の開示】
【発明が解決しようとする課題】
【０００４】
従来のダイヤモンド紫外線発光素子を用いた装置は、蛍光体による２次光発生、光触媒による殺菌・分解、紫外線によるオゾン製造等といった複数の機能を、各々個別に実施する装置である。従って、これら複数の機能を同時に実現するためには、複数の装置を組み合わせて使用する必要があり、広い設置スペースが必要となり、高価になるといった問題があった。
【０００５】
一方、従来の発光ダイオードは、着色部材、蛍光部材、光触媒、蓄光部材および抗菌部材のうちの１つの部材、または着色部材、蛍光部材、光触媒、蓄光部材および抗菌部材から選択された少なくとも２つの部材を組み合わせて形成された機能性部材を備えてなるものであり、複数の機能を同時に実現するという利点はあるものの、個々の機能を選択的に（個別に）実施できないといった問題があった。
【０００６】
本発明は係る実情に鑑みてなされたもので、その目的は、それぞれ異なる機能を実現するための発光素子を少なくとも２つ搭載し（例えば、殺菌に適した紫外線発光素子と、照明に適した可視光発光素子とを１つずつ搭載し）、かつ、各発光素子を並列に配線して１つの半導体発光装置を形成することにより、個々の機能を選択的に（個別に）実施することができ、さらに、従来の半導体発光装置のように、複数の機能を同時に実施することもできる半導体発光装置を提供することにある。
【課題を解決するための手段】
【０００７】
上記課題を解決するため、本発明の半導体発光装置は、殺菌に有効な光を発する機能を有する発光素子、オゾン発生に有効な光を発する機能を有する発光素子、光触媒に有効な光を発する機能を有する発光素子、および照明光を発する機能を有するかまたは蛍光体を光らせることにより照明光を発する機能を有する発光素子のうちの少なくとも２種類の発光素子を有しており、各発光素子が互いに並列に接続されたものである。このような構成を有することにより、個々の機能を選択的に実施することも、複数の機能を同時に実施することもできる半導体発光装置を提供することができる。
【０００８】
この場合、前記殺菌に有効な光を発する機能を有する発光素子としては、発光波長１５０ｎｍ〜３５０ｎｍの発光素子、より好ましくは発光波長２００ｎｍ〜３００ｎｍの発光素子が好適である。また、前記オゾン発生に有効な光を発する機能を有する発光素子としては、発光波長１８０ｎｍ〜１９０ｎｍの発光素子が好適である。さらに、前記光触媒に有効な光を発する機能を有する発光素子としては、発光波長１００ｎｍ〜５５０ｎｍの発光素子、より好ましくは発光波長１００ｎｍ〜４００ｎｍの発光素子が好適である。
【０００９】
また、前記蛍光体を光らせることにより照明光を発する機能を有する発光素子として青色発光素子を用い、蛍光体として赤色蛍光体と緑色蛍光体とを用いることができる。または、前記蛍光体を光らせることにより照明光を発する機能を有する発光素子として青色発光素子を用い、蛍光体として黄色蛍光体を用いることができる。さらに、前記蛍光体を光らせることにより照明光を発する機能を有する発光素子として紫外線発光素子を用い、蛍光体として赤色蛍光体と緑色蛍光体と青色蛍光体のうち一つ以上を用いることができる。
【００１０】
また、本発明の半導体発光装置は、前記殺菌に有効な光を発する機能を有する発光素子、前記オゾン発生に有効な光を発する機能を有する発光素子および前記照明光を発する機能を有する発光素子のうちの１個の発光素子と、前記光触媒に有効な光を発する機能を有する発光素子とを備えており、これらの発光素子の光路内に光触媒が存在しない領域を形成した構造としてもよい。これにより、光触媒としての機能と、照明としての機能とを使い分けることが可能となる。
【００１１】
また、本発明の半導体発光装置は、前記殺菌に有効な光を発する機能を有する発光素子、前記オゾン発生に有効な光を発する機能を有する発光素子および前記照明光を発する機能を有する発光素子のうちの１個の発光素子と、前記光触媒に有効な光を発する機能を有する発光素子とを備えており、これらの発光素子の全ての光路内に光触媒が存在しており、かつ、前記殺菌に有効な光を発する機能を有する発光素子から出射した光、前記オゾン発生に有効な光を発する機能を有する発光素子から出射した光および前記照明光を発する機能を有する発光素子から出射した光が光触媒を通過する構造としてもよい。このように、光触媒を全体に塗布することにより、光触媒反応を広範囲で実現することが可能となり、殺菌・消臭機能を強化することが可能となる。
【００１２】
また、本発明の半導体発光装置は、前記殺菌に有効な光を発する機能を有する発光素子または前記オゾン発生に有効な光を発する機能を有する発光素子と、蛍光体を光らせることにより照明光を発する機能を有する発光素子とを有しており、これらの発光素子の光路内に蛍光体が存在しない領域がある構造としてもよい。これにより、殺菌またはオゾン発生の機能と、蛍光体を光らせる方法による照明としての機能とを使い分けることが可能となる。
【００１３】
また、本発明の半導体発光装置は、前記殺菌に有効な光を発する機能を有する発光素子または前記オゾン発生に有効な光を発する機能を有する発光素子と、蛍光体を光らせることにより照明光を発する機能を有する発光素子とを有しており、これらの発光素子の全ての光路内に蛍光体が存在しており、かつ、前記殺菌に有効な光を発する機能を有する発光素子から出射した光および前記オゾン発生に有効な光を発する機能を有する発光素子から出射した光が蛍光体を通過する構造であってもよい。これにより、紫外線そのものによる殺菌機能と、蛍光体を光らせる方法による照明としての機能とを使い分けることが可能となる。
【００１４】
また、本発明の半導体発光装置は、前記光触媒に有効な光を発する機能を有する発光素子および蛍光体を光らせることにより照明光を発する機能を有する発光素子を有しており、全ての光路内に光触媒と蛍光体とが存在している構造であってもよい。
【００１５】
また、本発明の半導体発光装置は、前記光触媒に有効な光を発する機能を有する発光素子および蛍光体を光らせることにより照明光を発する機能を有する発光素子を有しており、一部の光路内に光触媒が存在しており、他の一部の光路内に蛍光体が存在している構造であってもよい。これにより、光触媒としての機能と、蛍光体を光らせる方法による照明としての機能とを使い分けることが可能となる。
【００１６】
また、本発明の半導体発光装置は、前記殺菌に有効な光を発する機能を有する発光素子または前記オゾン発生に有効な光を発する機能を有する発光素子と、光触媒に有効な光を発する機能を有する発光素子と、蛍光体を光らせることにより照明光を発する機能を有する発光素子とを有しており、全ての光路内に光触媒と蛍光体とが存在している構造であってもよい。これにより、殺菌またはオゾン発生の機能と、光触媒としての機能と、蛍光体を光らせる方法による照明としての機能とを使い分けることが可能となる。
【００１７】
また、本発明の半導体発光装置は、前記殺菌に有効な光を発する機能を有する発光素子または前記オゾン発生に有効な光を発する機能を有する発光素子と、光触媒に有効な光を発する機能を有する発光素子と、蛍光体を光らせることにより照明光を発する機能を有する発光素子とを有しており、一部の光路内に光触媒が存在しており、他の一部の光路内に蛍光体が存在している構造であってもよい。これにより、光触媒としての機能と、蛍光体を光らせる方法による照明としての機能と、殺菌・消臭機能とを使い分けることが可能となる。
【００１８】
また、本発明の半導体発光装置は、前記殺菌に有効な光を発する機能を有する発光素子または前記オゾン発生に有効な光を発する機能を有する発光素子と、光触媒に有効な光を発する機能を有する発光素子と、蛍光体を光らせることにより照明光を発する機能を有する発光素子とを有しており、一部の光路内に光触媒が存在しており、他の一部の光路内に蛍光体が存在しており、さらに他の一部の光路内には光触媒および蛍光体が存在していない構造であってもよい。これにより、光触媒としての機能と、蛍光体を光らせる方法による照明としての機能と、殺菌・消臭機能とを使い分けることが可能となる。
【００１９】
なお、上記構成の各発光素子は、互いに並列に配線された構造となっている。また、複数の発光素子のうちの少なくとも１つの発光素子としてダイヤモンドＬＥＤチップを用いることが可能である。さらに、複数の発光素子のうちの少なくとも１つの発光素子としてＧａＡＩＩｎＮを用いて形成された発光素子をが用いることが可能である。
【発明の効果】
【００２０】
以上説明したように、本発明の半導体発光装置によれば、紫外線殺菌機能、オゾン発生機能、光触媒機能、蛍光体による照明機能といった、異なる機能を実現するための発光素子を少なくとも２つ以上有し、各発光素子を並列に配線している。これにより、１つの半導体発光装置により、個々の機能を選択的に実施することができるとともに、複数の機能を同時に実施することができる。
【発明を実施するための最良の形態】
【００２１】
以下、本発明の実施の形態について、図面を参照して説明する。
【実施例１】
【００２２】
本発明の実施例１について、図面を参照して説明する。
【００２３】
図１は、本発明に係わる半導体発光装置の実施例１を示す側面図、図２は、図1に示す半導体発光装置を矢印Ａで示す方向から見た状態を示す平面図、図３は、図１に示す半導体発光装置のＢ−Ｂ線断面図である。なお、図１〜図３においては、より分かりやすくするために、電極パターンと光触媒部とをハッチングを用いて示している。
【００２４】
本実施例の半導体発光装置は、図１〜図３に示すように、エポキシ基板１と、このエポキシ基板１上に形成された配線用の電極パターン２と、この電極パターン２上の所定の位置にそれぞれ搭載され、Ａｕ線４を用いて所定の電極パターン２にワイヤボンドされることによって並列に接続されている光触媒用の発光波長３８０ｎｍの紫外線ＬＥＤチップ（材料はＩｎＧａＮ）３ａ、赤色発光ＬＥＤチップ（R）３ｂ、緑色発光ＬＥＤチップ（G）３ｃおよび青色発光ＬＥＤチップ（B）３ｄと、これら紫外線ＬＥＤチップ３ａ、赤色発光ＬＥＤチップ３ｂ、緑色発光ＬＥＤチップ３ｃ、青色発光ＬＥＤチップ３ｄおよびその周辺部をモールドし封止するためのエポキシ樹脂で形成された封止樹脂部５と、この封止樹脂部５表面に光触媒をコート（塗布）することにより形成された光触媒部６とからなるものである。
【００２５】
本実施例においては、光触媒として酸化チタンが使用されており、この光触媒は、光を照射することにより触媒表面に付着した有機物（例えばホルムアルデヒド等）を分解するといった作用をもつ。また、有機物分解以外に、雑菌や、窒素酸化物（ＮＯｘ）、硫化酸化物（ＳＯｘ）を分解する作用をもち、それにより殺菌や消臭を行なうことが可能である。
さらに詳しくは、光触媒を封止樹脂部５表面の半分の領域（即ち、紫外線ＬＥＤチップ３ａ周辺部）にのみ塗布しており、封止樹脂部５表面のうちの光触媒を塗布していない領域（即ち、赤色発光ＬＥＤチップ３ｂ、緑色発光ＬＥＤチップ３ｃおよび青色発光ＬＥＤチップ３ｄ周辺部）ではＬＥＤ光は光触媒で吸収されることなく封止樹脂部５を透過して外部に出射する。
【００２６】
従って、半導体発光装置を光触媒として単独に機能させたい場合は、紫外線ＬＥＤチップ３ａだけを発光させ、半導体発光装置を照明として機能させる場合は、赤色発光ＬＥＤチップ３ｂ、緑色発光ＬＥＤチップ３ｃおよび青色発光ＬＥＤチップ３ｄを同時に発光させ白色光を発生させる。
【００２７】
紫外線ＬＥＤチップ３ａ、赤色発光ＬＥＤチップ３ｂ、緑色発光ＬＥＤチップ３ｃおよび青色発光ＬＥＤチップ３ｄはそれぞれ並列に配線されているため、照明機能だけが必要なときは、赤色発光ＬＥＤチップ３ｂ、緑色発光ＬＥＤチップ３ｃおよび青色発光ＬＥＤチップ３ｄだけを発光させ、光触媒機能だけが必要な時は紫外線ＬＥＤチップ３ａだけを発光させることにより、各々の機能を独立に実現することが可能である。
【００２８】
なお、本実施例では、白色照明のため、赤色発光ＬＥＤチップ３ｂ、緑色発光ＬＥＤチップ３ｃおよび青色発光ＬＥＤチップ３ｄを使用しているが、本発明の半導体発光装置において照明は白色に限定されるものではなく、例えば、半導体発光装置を緑色の単色照明の用途で用いる場合には、緑色発光ＬＥＤチップのみを搭載することも可能である。即ち、この場合には、半導体発光装置は、紫外線ＬＥＤチップと緑色発光ＬＥＤチップとを有する、２チップ構成となる。
【００２９】
一般に、光触媒の有機物分解作用は、光触媒効果の一例を示すグラフである図４（横軸に波長（ｎｍ）を示し、縦軸に有機物分解速度を示している。）に示すように、特に、可視光に比べて紫外光のような短波長の光を入射した場合の方が強い傾向がある。そのため、本実施例では、紫外線ＬＥＤチップを使用している。しかし、青色光（波長４３０〜４７０ｎｍ付近の光）〜緑色光（波長５００〜５５０ｎｍ付近の光）でもいくらかの触媒作用を示すため、紫外線ＬＥＤチップを、青色発光ＬＥＤチップまたは緑色発光ＬＥＤチップに置き換えてもよい。
【実施例２】
【００３０】
次に、本発明の実施例２について、図面を参照して説明する。
【００３１】
図５は、本発明に係わる半導体発光装置の実施例２を示す側面図、図６は、図５に示す半導体発光装置を矢印Ｃで示す方向から見た状態を示す平面図、図７は、図５に示す半導体発光装置のＤ−Ｄ線断面図である。なお、図５〜図７においては、より分かりやすくするために、電極パターンと光触媒部とをハッチングを用いて示している。
【００３２】
本実施例の半導体発光装置は、紫外線そのものによる殺菌を行なうといった機能（紫外線殺菌機能）と、光触媒としての役割を果たすといった機能（光触媒機能）とを実現するものである。
【００３３】
この半導体発光装置は、図５〜図７に示すように、赤色発光ＬＥＤチップ３ｂ、緑色発光ＬＥＤチップ３ｃおよび青色発光ＬＥＤチップ３ｄの代わりに殺菌用の波長２５５ｎｍの紫外線ＬＥＤチップ３ｅが１個用いられている点で、前述した実施例１の半導体発光装置と異なっている。
【００３４】
このような構成を有しているため、光触媒を塗布していない領域（即ち、殺菌用の波長２５５ｎｍの紫外線ＬＥＤチップ３ｅ上方の領域）では紫外線は封止樹脂部５を透過し外部に出射して殺菌を行なうことができる。
【００３５】
一般に、紫外線による殺菌効果の波長特性によれば、紫外線による殺菌効果の一例を示すグラフである図８（横軸に波長（ｎｍ）を示し、縦軸に殺菌効果のレベルを示す。）に示すように、波長２００〜３００ｎｍ付近の紫外線が最も殺菌力が強い（なお、殺菌する菌の種類にはほとんど関係しない）。そのため、本実施例では、殺菌力を強めるために、殺菌用の紫外線ＬＥＤチップ３ｅとして発光波長２５５ｎｍのＧａＡｌＩｎＮのＬＥＤチップを用いている。また、このＧａＡｌＩｎＮのＬＥＤチップの代わりに、発光波長２３５ｎｍのダイヤモンドＬＥＤチップを用いてもよい。
【００３６】
このように、ＬＥＤチップを殺菌用の紫外線光源として用いる場合には、波長１５０〜３５０ｎｍ（図８において、両方向矢印Ｅ１で示す範囲）の紫外光を発光する紫外線ＬＥＤチップを用いることが好ましく、波長２００〜３００ｎｍ（図８において、両方向矢印Ｅ２で示す範囲）の紫外光を発光する紫外線ＬＥＤチップを用いることがさらに望ましい。
【００３７】
一方、前述の実施例１で参照した図４に示すように、光触媒用の紫外線ＬＥＤチップ３ａは殺菌用の紫外線ＬＥＤチップ３ｅほど波長依存性が強くないため、光触媒用の紫外線ＬＥＤチップ３ａとして、高出力のＬＥＤチップであり、発光波長３８０ｎｍの紫外光を発光するＩｎＧａＮのＬＥＤチップが用いられていることが好ましい。
【実施例３】
【００３８】
次に、本発明の実施例３について、図面を参照して説明する。
【００３９】
図９は、本発明に係わる半導体発光装置の実施例３を示す側面図、図１０は、図９に示す半導体発光装置を矢印Ｆで示す方向から見た状態を示す平面図、図１１は、図９に示す半導体発光装置のＧ−Ｇ線断面図である。なお、図９〜図１１においては、より分かりやすくするために、電極パターンと光触媒部とをハッチングを用いて示している。
【００４０】
本実施例の半導体発光装置は、オゾンを発生させ、このオゾンによって殺菌を行なうといった機能（オゾン殺菌機能）と、光触媒としての役割を果たすといった機能（光触媒機能）とを実現するものである。
【００４１】
この半導体発光装置は、図９〜図１１に示すように、赤色発光ＬＥＤチップ３ｂ、緑色発光ＬＥＤチップ３ｃおよび青色発光ＬＥＤチップ３ｄの代わりにオゾン発生用の波長１８５ｎｍの紫外線ＬＥＤチップ３ｆが１個用いられている点で、前述した実施例１の半導体発光装置と異なっている。
【００４２】
このような構成を有しているため、光触媒を塗布していない領域（即ち、オゾン発生用の波長１８５ｎｍの紫外線ＬＥＤチップ３ｆ上方の領域）では紫外線は封止樹脂部５を透過し外部に出射する。この出射した紫外線は、空気中の酸素（Ｏ2）と反応してオゾン（Ｏ3）を発生する。オゾンは不安定な物質であり自然分解しやすく、その結果、活性酸素が発生する。この活性酸素は強力な酸化作用をもつため、脱臭や殺菌が可能である。
本実施例では、オゾン発生用の紫外線ＬＥＤチップ３ｆとして、オゾン発生に適した波長１８５ｎｍの紫外線を用いているため、効率よくオゾンを発生させることが可能である。また、光触媒では光触媒表面に接触した物質だけを殺菌・分解するが、オゾンは空気中に拡散するため、空気中に浮遊する菌・有機物等を分解することが可能である。
【実施例４】
【００４３】
次に、本発明の実施例４について、図面を参照して説明する。
【００４４】
図１２は、本発明に係わる半導体発光装置の実施例４を示す側面図、図１３は、図１２に示す半導体発光装置を矢印Ｈで示す方向から見た状態を示す平面図、図１４は、図１２に示す半導体発光装置のＩ−Ｉ線断面図である。なお、図１２〜図１４においては、より分かりやすくするために、電極パターンと光触媒部とをハッチングを用いて示している。
【００４５】
本実施例の半導体発光装置は、照明としての役割を果たすといった機能（照明機能）と、光触媒としての役割を果たすといった機能（光触媒機能）とを実現するものである。
【００４６】
この半導体発光装置は、図１２〜図１４に示すように、封止樹脂部５表面の一部の領域に形成されていた光触媒部６の代わりに、封止樹脂部５表面の全体に光触媒を塗布して形成された光触媒部６を有している点で、前述した実施例１の半導体発光装置と異なっている。
【００４７】
このように、光触媒を全体に塗布することにより、光触媒反応を広範囲で実現することが可能となり、殺菌・消臭機能を強化することが可能である。この光触媒は、可視光を全て吸収するわけではなく、一部は透過するため、光触媒を透過した光によって照明機能も実現することが可能である。
【００４８】
本実施例では、白色照明のため、赤色発光ＬＥＤチップ３ｂ、緑色発光ＬＥＤチップ３ｃおよび青色発光ＬＥＤチップ３ｄを使用しているが、白色にこだわらず、例えば緑色の単色を照明の用途で用いる場合、緑色発光ＬＥＤチップを１チップのみ搭載させることも可能である。この場合、ＬＥＤチップは紫外線ＬＥＤチップ３ａと緑色発光ＬＥＤチップ３ｃとからなり、計２チップを搭載した構成となる。
【００４９】
また、青色光（波長４３０〜４７０ｎｍ付近の光）〜緑色光（波長５００〜５５０ｎｍ付近の光）でもいくらかの触媒作用を示すため、紫外線ＬＥＤチップ３ａを、青色ＬＥＤチップ３ｄまたは緑色ＬＥＤチップ３ｃに置き換えた構成であっても、光触媒機能を実現することが可能である。
【００５０】
なお、図示しないが、実施例２と同様に、白色照明のための赤色発光ＬＥＤチップ３ｂ、緑色発光ＬＥＤチップ３ｃおよび青色発光ＬＥＤチップ３ｄを殺菌用の紫外線ＬＥＤチップに置き換えて、照明機能の代わりに紫外線殺菌機能を光触媒機能と両立させたり、実施例３と同様に、白色照明のための赤色発光ＬＥＤチップ３ｂ、緑色発光ＬＥＤチップ３ｃおよび青色発光ＬＥＤチップ３ｄをオゾン発生用の紫外線ＬＥＤチップに置き換えて、照明機能の代わりにオゾン殺菌機能を光触媒機能と両立させたりすることも可能である。
【実施例５】
【００５１】
次に、本発明の実施例５について、図面を参照して説明する。
【００５２】
図１５は、本発明に係わる半導体発光装置の実施例５を示す側面図、図１６は、図１５に示す半導体発光装置を矢印Ｊで示す方向から見た状態を示す平面図、図１７は、図１５に示す半導体発光装置のＫ−Ｋ線断面図である。なお、図１５〜図１７においては、より分かりやすくするために、電極パターンと蛍光体部とをハッチングを用いて示している。
【００５３】
本実施例の半導体発光装置は、紫外線そのものによる殺菌を行なうといった機能（紫外線殺菌機能）と、蛍光体を光らせる方法による照明としての役割を果たすといった機能（照明機能）とを実現するものである。
【００５４】
この半導体発光装置は、図１５〜図１７に示すように、紫外線ＬＥＤチップ３ａの代わりに蛍光体照射用に青色発光ＬＥＤチップ３ｄが１個用いられており、赤色発光ＬＥＤチップ３ｂ、緑色発光ＬＥＤチップ３ｃおよび青色発光ＬＥＤチップ３ｄの代わりにＧａＡｌＩｎＮからなる発光波長２５５ｎｍの紫外線ＬＥＤチップ３ｅが紫外線殺菌用に１個用いられている点と、封止樹脂部５表面のうち青色発光ＬＥＤチップ３ｄ上方の領域のみに赤色および緑色の発光スペクトルをもつ蛍光体（即ち、赤色蛍光体および緑色蛍光体）が塗布され蛍光体部７が形成されている点とで、前述した実施例１の半導体発光装置と異なっている。
【００５５】
一般に、青色発光ＬＥＤチップ３ｄから出射された波長４００ｎｍ付近の光は、蛍光体の発光スペクトルの一例を示すグラフである図１８（横軸に波長（ｎｍ）を示し、縦軸に発光強度相対値（％）を示している。）に示すように、蛍光体部７に入射すると、一部が緑色（波長５３０ｎｍ程度）の光に変換され、他の一部が赤色（波長６６０ｎｍ程度）の光に変換され、さらに他の一部は変換されず青色光のまま出射される。その結果、緑色、赤色および青色の光が合わさることにより白色光となり、この白色光によって照明機能を実現することが可能となる。なお、図１８中、実線は蛍光体照射前の状態を示し、破線は蛍光体照射後の状態を示している。
【００５６】
一方、紫外線ＬＥＤチップ３ｅから出射した紫外光は、蛍光体部７が形成されていない領域では、封止樹脂部５から出射し、紫外線による殺菌・消臭の機能を実現する。
【００５７】
本実施例では、蛍光体部７を形成する際に緑色と赤色に発光スペクトルをもつ蛍光体を用いたが、黄色に発光スペクトルをもつ蛍光体（即ち、黄色蛍光体）を用いてもよい。この場合、青色光と黄色光が合わさることにより、疑似白色光となり、この擬似白色光によって照明機能を実現することが可能となる。
【００５８】
また、本実施例の半導体発光装置は、紫外線ＬＥＤチップ３ｅと青色発光ＬＥＤチップ３ｄとの２チップ構成であったが、紫外線に対して青色、緑色または赤色の発光スペクトルをもつ蛍光体を用いることにより、紫外線ＬＥＤチップを２個用いた２チップ構成とすることも可能である。
【００５９】
さらにまた、本実施例では、紫外線殺菌用のＬＥＤチップとして、ＧａＡｌＩｎＮからなる発光波長２５５ｎｍの紫外線ＬＥＤチップ３ｅを用いているが、発光波長２３５ｎｍのダイヤモンドＬＥＤチップを用いることも可能である。
【実施例６】
【００６０】
次に、本発明の実施例６について、図面を参照して説明する。
【００６１】
図１９は、本発明に係わる半導体発光装置の実施例６を示す側面図、図２０は、図１９に示す半導体発光装置を矢印Ｌで示す方向から見た状態を示す平面図、図２１は、図１９に示す半導体発光装置のＭ−Ｍ線断面図である。なお、図１９〜図２１においては、より分かりやすくするために、電極パターンと蛍光体部とをハッチングを用いて示している。
【００６２】
本実施例の半導体発光装置は、オゾンを発生させ、このオゾンによって殺菌を行なうといった機能（オゾン殺菌機能）と、蛍光体を光らせる方法による照明としての役割を果たすといった機能（照明機能）とを実現するものである。
【００６３】
この半導体発光装置は、図１９〜図２１に示すように、ＧａＡｌＩｎＮからなる発光波長２５５ｎｍの紫外線ＬＥＤチップ３ｅの代わりにオゾン発生用の波長１８５ｎｍの紫外線ＬＥＤチップ３ｆを用いている点で、前述した実施例５の半導体発光装置と異なっている。
このような構成を有しているため、封止樹脂部５表面のうち蛍光体部７を形成していない領域（即ち、オゾン発生用の波長１８５ｎｍの紫外線ＬＥＤチップ３ｆ周辺部）では、紫外線が封止樹脂部５を透過し外部に出射する。その結果、この出射した紫外線を用いて、オゾン（Ｏ３）を発生させ、脱臭や殺菌機能を実現することが可能である。なお、照明機能は、前述の実施例５の場合と同様のものである。
【実施例７】
【００６４】
次に、本発明の実施例７について、図面を参照して説明する。
【００６５】
図２２は、本発明に係わる半導体発光装置の実施例７を示す側面図、図２３は、図２２に示す半導体発光装置を矢印Ｎで示す方向から見た状態を示す平面図、図２４は、図２２に示す半導体発光装置のＯ−Ｏ線断面図である。なお、より分かりやすくするために、図２２および図２３においては、電極パターンと蛍光体混合樹脂部とをハッチングを用いて示しており、図２４においては、電極パターンのみをハッチングを用いて示している。
【００６６】
本実施例の半導体発光装置は、紫外線そのものによる殺菌を行なうといった機能（紫外線殺菌機能）と、蛍光体を光らせる方法による照明としての役割を果たすといった機能（照明機能）とを実現するものである。
【００６７】
この半導体発光装置は、図２２〜図２４に示すように、蛍光体部７および封止樹脂部５の代わりに、エポキシ樹脂に蛍光体を混ぜ合わせて封止樹脂部５と同様の形状および部位に形成された蛍光体混合樹脂部１５を備えている点で前述した実施例５の半導体発光装置と異なっている。
【００６８】
照明機能については、このような構成を有しているので、光路全体を蛍光体で覆うことができ、その結果、得られる照明光（白色光）の強度を、実施例５に示した半導体発光装置と比べて、より強くすることが可能である。
【００６９】
なお、紫外線殺菌機能については、紫外線ＬＥＤチップ３ｅからの紫外光の一部が、蛍光体によって吸収されずに蛍光体混合樹脂部１５を透過する。そして、この透過した紫外線によって、殺菌・消臭機能が実現される。
【００７０】
また、本実施例の半導体発光装置は、紫外線ＬＥＤチップ３ｅと青色発光ＬＥＤチップ３ｄとの２チップ構成であったが、紫外線に対して青色、緑色または赤色の発光スペクトルをもつ蛍光体（即ち、青色蛍光体、緑色蛍光体または赤色蛍光体）を用いることにより、紫外線ＬＥＤチップを２個用いた２チップ構成とすることも可能である。
【実施例８】
【００７１】
次に、本発明の実施例８について、図面を参照して説明する。
【００７２】
図２５は、本発明に係わる半導体発光装置の実施例８を示す側面図、図２６は、図２５に示す半導体発光装置を矢印Ｐで示す方向から見た状態を示す平面図、図２７は、図２５に示す半導体発光装置のＱ−Ｑ線断面図である。なお、より分かりやすくするために、図２５および図２６においては、電極パターンと蛍光体混合樹脂部とをハッチングを用いて示しており、図２７においては、電極パターンのみをハッチングを用いて示している。
【００７３】
本実施例の半導体発光装置は、オゾンを発生させ、このオゾンによって殺菌を行なうといった機能（オゾン殺菌機能）と、蛍光体を光らせる方法による照明としての役割を果たすといった機能（照明機能）とを実現するものである。
【００７４】
この半導体発光装置は、図２５〜図２７に示すように、蛍光体部７および封止樹脂部５の代わりに、エポキシ樹脂に蛍光体を混ぜ合わせて封止樹脂部５と同様の形状および部位に形成された蛍光体混合樹脂部１５を備えている点で前述した実施例６の半導体発光装置と異なっている。
【００７５】
このような構成を有しているので、紫外線ＬＥＤチップ３ｆからの紫外光の一部は、蛍光体によって吸収されずに蛍光体混合樹脂部１５を透過し外部に出射する。この出射した紫外線によって、オゾンを発生し、脱臭や殺菌効果を実現することが可能となる。なお、照明機能は、前述の実施例７の場合と同様のものである。
【実施例９】
【００７６】
次に、本発明の実施例９について、図面を参照して説明する。
【００７７】
図２８は、本発明に係わる半導体発光装置の実施例９を示す側面図、図２９は、図２８に示す半導体発光装置を矢印Ｒで示す方向から見た状態を示す平面図、図３０は、図２８に示す半導体発光装置のＳ−Ｓ線断面図である。なお、より分かりやすくするために、図２８においては、電極パターンと蛍光体混合樹脂部と光触媒部とをハッチングを用いて示しており、図２９においては、電極パターンと光触媒部とをハッチングを用いて示しており、図３０においては、電極パターンのみをハッチングを用いて示している。
【００７８】
本実施例の半導体発光装置は、光触媒としての役割を果たすといった機能（光触媒機能）と、蛍光体を光らせる方法による照明としての役割を果たすといった機能（照明機能）とを実現するものである。
【００７９】
この半導体発光装置は、図２８〜図３０に示すように、紫外線ＬＥＤチップ３ｅの代わりに光触媒用の発光波長３８０ｎｍの紫外線ＬＥＤチップ３ａを備えており、かつ、蛍光体混合樹脂部１５の表面に光触媒を塗布することにより形成された光触媒部６を備えている点で、前述した実施例７の半導体発光装置と異なっている。
【００８０】
このような構成を有しているため、青色発光ＬＥＤチップ３ｄから出射された波長４００ｎｍ付近の光は、蛍光体に入射し、一部が緑色（波長５３０ｎｍ程度）の光に変換され、一部が赤色（波長６６０ｎｍ程度）の光に変換され、そして、一部は変換されず青色光のまま蛍光体混合樹脂部１５を透過する。その結果、緑色、赤色および青色の光が合わさることにより白色光となり、この白色光は光触媒部６を透過して、照明光として使用される。
【００８１】
一方、紫外線ＬＥＤチップ３ａから出射した紫外線は、蛍光体混合樹脂部１５を通過し、光触媒部６に入射する。このように、紫外線が入射することにより、光触媒部６表面に付着した有機物（ホルムアルデヒド等）、雑菌、窒素酸化物（ＮＯｘ）および硫化酸化物（ＳＯｘ）等が分解されるため、殺菌や消臭機能を実現することが可能となる。
【００８２】
さらにまた、本実施例の半導体発光装置は、紫外線ＬＥＤチップ３ａと青色発光ＬＥＤチップ３ｄとの２チップ構成であったが、殺菌用の波長２５５ｎｍの紫外線ＬＥＤチップ（ＧａＡｌＩｎＮ）を追加して、３チップ構成とすることも可能である。この殺菌用の波長２５５ｎｍの紫外線ＬＥＤチップから出射した紫外線は、一部が蛍光体混合樹脂部１５と光触媒部６とを通過するため、通過した紫外線（特に波長２５５ｎｍの紫外線）により、紫外線殺菌を行なうことが可能である。
【００８３】
また、本実施例の半導体発光装置は、紫外線ＬＥＤチップ３ａと青色発光ＬＥＤチップ３ｄとの２チップ構成であったが、オゾン発生用の波長１８５ｎｍの紫外線ＬＥＤチップを追加して３チップ構成とすることにより、蛍光体混合樹脂部１５と光触媒部６とを通過した紫外線（特に波長１８５ｎｍの紫外線）を用いて、オゾンを発生させ、殺菌・脱臭機能を実現することも可能である。
【実施例１０】
【００８４】
次に、本発明の実施例１０について、図面を参照して説明する。
【００８５】
図３１は、本発明に係わる半導体発光装置の実施例１０を示す側面図、図３２は、図３１に示す半導体発光装置を矢印Ｔで示す方向から見た状態を示す平面図、図３３は、図３１に示す半導体発光装置のＵ−Ｕ線断面図である。なお、図３１〜図３３においては、より分かりやすくするために、電極パターンと蛍光体混合樹脂部と光触媒部とをハッチングを用いて示している。
【００８６】
本実施例の半導体発光装置は、光触媒としての役割を果たすといった機能（光触媒機能）と、蛍光体を光らせる方法による照明としての役割を果たすといった機能（照明機能）とを実現するものである。
【００８７】
この半導体発光装置は、図３１〜図３３に示すように、赤色発光ＬＥＤチップ３ｂ、緑色発光ＬＥＤチップ３ｃおよび青色発光ＬＥＤチップ３ｄの代わりに青色発光ＬＥＤチップ３ｄのみを実装している点と、封止樹脂部５の表面には光触媒部６が形成されている領域と蛍光体部７が形成されている領域とがある点とで、前述した実施例１の半導体発光装置と異なっている。
【００８８】
さらに詳しく説明すると、光触媒部６は、図３３中左側に配置されている紫外線ＬＥＤチップ３ａ周辺部を覆うように、封止樹脂部５表面のうちの左側半分の領域に形成されており、一方、蛍光体部７は、図３３中右側に配置されている青色発光ＬＥＤチップ３ｄ周辺部を覆うように、封止樹脂部５表面のうちの右側半分の領域に形成されている（図３１、図３２参照）。
【００８９】
このような構成を有しているため、青色発光ＬＥＤチップ３ｄから出射された波長４００ｎｍ付近の光は、蛍光体部７に入射し、一部が緑色（波長５３０ｎｍ程度）の光に変換され、一部が赤色（波長６６０ｎｍ程度）の光に変換され、一部は変換されず青色光のまま透過する。そして、これら緑色、赤色および青色の光が合わさることより白色光となり、照明光として使用可能になる。
【００９０】
一方、紫外線ＬＥＤチップ３ａから出射した紫外線は、光触媒部６に入射する。このように、紫外線が入射することにより、光触媒部６表面に付着した有機物（ホルムアルデヒド等）、雑菌、窒素酸化物（ＮＯｘ）および硫化酸化物（ＳＯｘ）等が分解されるため、殺菌や消臭機能を実現することが可能となる。
【００９１】
また、本実施例の半導体発光装置は、紫外線ＬＥＤチップ３ｅと青色発光ＬＥＤチップ３ｄとの２チップ構成であったが、紫外線に対して青色、緑色または赤色の発光スペクトルをもつ蛍光体を用いることにより、紫外線ＬＥＤチップを２個用いた２チップ構成とすることも可能である。
【００９２】
さらにまた、本実施例の半導体発光装置は、紫外線ＬＥＤチップ３ａと青色発光ＬＥＤチップ３ｄとの２チップ構成であったが、殺菌用の波長２５５ｎｍの紫外線ＬＥＤチップ（ＧａＡｌＩｎＮ）を追加して、３チップ構成とすることも可能である。この殺菌用の波長２５５ｎｍの紫外線ＬＥＤチップから出射した紫外線は、一部が蛍光体部５と光触媒部６とを通過するため、この通過した紫外線により、紫外線殺菌を行なうことが可能である。
【００９３】
また、本実施例の半導体発光装置は、紫外線ＬＥＤチップ３ａと青色発光ＬＥＤチップ３ｄとの２チップ構成であったが、オゾン発生用の波長１８５ｎｍの紫外線ＬＥＤチップを追加して３チップ構成とすることにより、蛍光体混合樹脂部１５と光触媒部６とを通過した紫外線（特に波長１８５ｎｍの紫外線）を用いて、オゾンを発生させ、殺菌・脱臭機能を実現することも可能である。
【実施例１１】
【００９４】
次に、本発明の実施例１１について、図面を参照して説明する。
【００９５】
図３４は、本発明に係わる半導体発光装置の実施例１１を示す側面図、図３５は、図３４に示す半導体発光装置を矢印Ｖで示す方向から見た状態を示す平面図、図３６は、図３４に示す半導体発光装置のＷ−Ｗ線断面図である。なお、図３４〜図３６においては、より分かりやすくするために、電極パターンと蛍光体混合樹脂部と光触媒部とをハッチングを用いて示している。
【００９６】
本実施例の半導体発光装置は、光触媒としての役割を果たすといった機能（光触媒機能）と、蛍光体を光らせる方法による照明としての役割を果たすといった機能（照明機能）と、紫外線そのものによる殺菌を行なうといった機能（紫外線殺菌機能）とを実現するものである。
【００９７】
この半導体発光装置は、図３４〜図３６に示すように、光触媒用の発光波長３８０ｎｍの紫外線ＬＥＤチップ（材料はＩｎＧａＮ）３ａおよび青色発光ＬＥＤチップ３ｄに加えて殺菌用の発光波長２５５ｎｍの紫外線ＬＥＤチップ（材料はＧａＡｌＩｎＮ）３ｅが１個実装されている点と、封止樹脂部５の表面には、光触媒および蛍光体ともに塗布されておらず光触媒部６および蛍光体部７ともに形成されていない領域が存在している点とで、前述した実施例１０の半導体発光装置と異なっている。
【００９８】
このような構成を有しているため、紫外線（特に波長２５５ｎｍの紫外線）を効率よく封止樹脂部５外部に取り出すことが可能であり、紫外線による殺菌をより強力に行なうことが可能となる。
【００９９】
また、図示しないが、殺菌用の波長２５５ｎｍの紫外線ＬＥＤチップ３ｅを、オゾン発生用の波長１８５ｎｍの紫外線ＬＥＤチップに置き換えることも可能である。それにより、オゾンを発生させることができ、発生したオゾンによる殺菌・脱臭機能を実現することが可能となる。この場合も、封止樹脂部５表面に光触媒および蛍光体ともに塗布しない領域を形成しておくことにより、紫外線を効率よく封止樹脂外部に取り出すことが可能となる。
【実施例１２】
【０１００】
次に、本発明の実施例１２について、図面を参照して説明する。
【０１０１】
図３７は、本発明に係わる半導体発光装置の実施例１２を示す側面図である。なお、図３７においては、より分かりやすくするために、電極パターンと光触媒部と蛍光体部とセラミックパッケージとをハッチングを用いて示している。
【０１０２】
本実施の形態の半導体発発光装置は、実施例１〜実施例１１の他の形態であり、図３７に示すように、セラミックパッケージ８上に発光素子３を搭載し平板ガラス９で密閉した構成を有している。この場合、光触媒部６および蛍光体部７は、平板ガラス９上に光触媒や蛍光体を塗布することによって形成されている。なお、発光素子３の個数や配置位置、および光触媒部６や蛍光体部７の有無や配置位置等については、各実施例の半導体発光装置の構成に従って変更されるものであり、図３７に示した構成は一例である。
【０１０３】
また、実現できる機能等については、実施例１〜実施例１１において示したものと同様であるため、説明は省略する。
【実施例１３】
【０１０４】
次に、本発明の実施例１３について、図面を参照して説明する。
【０１０５】
図３８は、本発明に係わる半導体発光装置の実施例１３を示す断面図である。なお、図３８においては、より分かりやすくするために、光触媒部と蛍光体部とをハッチングを用いて示している。
【０１０６】
本実施の形態の半導体発発光装置は、実施例１〜実施例１１の他の形態であり、図３８に示すように、キャンパッケージ（ステム１０上に発光素子３を搭載しキャップ１１をシールドする構成）も可能である。この場合、光触媒部６および蛍光体部７は、キャップガラス１２上に光触媒や蛍光体を塗布することに形成されている。なお、リードフレーム１３上に搭載されている発光素子３の個数や配置位置、および光触媒部６や蛍光体部７の有無や配置位置等については、各実施例の半導体発光装置の構成に従って変更されるものであり、図３８に示した構成は一例である。
【０１０７】
また、実現できる機能等については、実施例１〜実施例１１において示したものと同様であるため、説明は省略する。
【実施例１４】
【０１０８】
次に、本発明の実施例１４について、図面を参照して説明する。
【０１０９】
図３９は、本発明に係わる半導体発光装置の実施例１４を示す断面図である。なお、図３９においては、より分かりやすくするために、光触媒部と蛍光体部とをハッチングを用いて示している。
【０１１０】
本実施の形態の半導体発発光装置は、実施例１〜実施例１１の他の形態であり、図３９に示すように、リードタイプの樹脂パッケージ（リードフレーム１３上に発光素子３を搭載し、発光素子３周辺部を樹脂でモールドして封止樹脂部５を形成する構成）も可能である。この場合、光触媒部６は、封止樹脂部５表面に光触媒を塗布することにより形成されており、蛍光体部７は、発光体素子９周辺に蛍光体をポッティングすることにより形成されている。但し、蛍光体部７については、封止樹脂部５表面に蛍光体を塗布することにより形成されていてもよい。なお、発光素子３の個数や配置位置、および光触媒部６や蛍光体部７の有無や配置位置等については、各実施例の半導体発光装置の構成に従って変更されるものであり、図３９に示した構成は一例である。
【０１１１】
また、実現できる機能等については、実施例１〜実施例１１において示したものと同様であるため、説明は省略する。
【産業上の利用可能性】
【０１１２】
本発明の半導体発光装置は、小型化および軽量化を必要とする電子機器類において活用できる。
【図面の簡単な説明】
【０１１３】
【図１】本発明に係わる半導体発光装置の実施例１を示す側面図である。
【図２】図1に示す半導体発光装置を矢印Ａで示す方向から見た状態を示す平面図である。
【図３】図１に示す半導体発光装置のＢ−Ｂ線断面図である。
【図４】光触媒効果の一例を示すグラフである。
【図５】本発明に係わる半導体発光装置の実施例２を示す側面図である。
【図６】図５に示す半導体発光装置を矢印Ｃで示す方向から見た状態を示す平面図である。
【図７】図５に示す半導体発光装置のＤ−Ｄ線断面図である。
【図８】紫外線による殺菌効果の一例を示すグラフである。
【図９】本発明に係わる半導体発光装置の実施例３を示す側面図である。
【図１０】図９に示す半導体発光装置を矢印Ｆで示す方向から見た状態を示す平面図である。
【図１１】図９に示す半導体発光装置のＧ−Ｇ線断面図である。
【図１２】本発明に係わる半導体発光装置の実施例４を示す側面図である。
【図１３】図１２に示す半導体発光装置を矢印Ｈで示す方向から見た状態を示す平面図である。
【図１４】図１２に示す半導体発光装置のＩ−Ｉ線断面図である。
【図１５】本発明に係わる半導体発光装置の実施例５を示す側面図である。
【図１６】図１５に示す半導体発光装置を矢印Ｊで示す方向から見た状態を示す平面図である。
【図１７】図１５に示す半導体発光装置のＫ−Ｋ線断面図である。
【図１８】蛍光体の発光スペクトルの一例を示すグラフである。
【図１９】本発明に係わる半導体発光装置の実施例６を示す側面図である。
【図２０】図１９に示す半導体発光装置を矢印Ｌで示す方向から見た状態を示す平面図である。
【図２１】図１９に示す半導体発光装置のＭ−Ｍ線断面図である。
【図２２】本発明に係わる半導体発光装置の実施例７を示す側面図である。
【図２３】図２２に示す半導体発光装置を矢印Ｎで示す方向から見た状態を示す平面図である。
【図２４】図２２に示す半導体発光装置のＯ−Ｏ線断面図である。
【図２５】本発明に係わる半導体発光装置の実施例８を示す側面図である。
【図２６】図２５に示す半導体発光装置を矢印Ｐで示す方向から見た状態を示す平面図である。
【図２７】図２５に示す半導体発光装置のＱ−Ｑ線断面図である。
【図２８】本発明に係わる半導体発光装置の実施例９を示す側面図である。
【図２９】図２８に示す半導体発光装置を矢印Ｒで示す方向から見た状態を示す平面図である。
【図３０】図２８に示す半導体発光装置のＳ−Ｓ線断面図である。
【図３１】本発明に係わる半導体発光装置の実施例１０を示す側面図である。
【図３２】図３１に示す半導体発光装置を矢印Ｔで示す方向から見た状態を示す平面図である。
【図３３】図３１に示す半導体発光装置のＵ−Ｕ線断面図である。
【図３４】本発明に係わる半導体発光装置の実施例１１を示す側面図である。
【図３５】図３４に示す半導体発光装置を矢印Ｖで示す方向から見た状態を示す平面図である。
【図３６】図３４に示す半導体発光装置のＷ−Ｗ線断面図である。
【図３７】本発明に係わる半導体発光装置の実施例１２を示す断面図である。
【図３８】本発明に係わる半導体発光装置の実施例１３を示す断面図である。
【図３９】本発明に係わる半導体発光装置の実施例１４を示す断面図である。
【符号の説明】
【０１１４】
１  エポキシ基板
２  電極パターン
３  発光素子
３ａ，３ｅ，３ｆ  紫外線ＬＥＤチップ
３ｂ  赤色発光ＬＥＤチップ
３ｃ  緑色発光ＬＥＤチップ
３ｄ  青色発光ＬＥＤチップ
４  Ａｕ線
５  封止樹脂部
６  光触媒部
７  蛍光体部
８  セラミックパッケージ
９  平板ガラス
１０  ステム
１１  キャップ
１２  キャップガラス
１３  リードフレーム
１５  蛍光体混合樹脂部
【図１】
2005101458.tif 000003
【図２】
2005101458.tif 000004
【図３】
2005101458.tif 000005
【図４】
2005101458.tif 000006
【図５】
2005101458.tif 000007
【図６】
2005101458.tif 000008
【図７】
2005101458.tif 000009
【図８】
2005101458.tif 000010
【図９】
2005101458.tif 000011
【図１０】
2005101458.tif 000012
【図１１】
2005101458.tif 000013
【図１２】
2005101458.tif 000014
【図１３】
2005101458.tif 000015
【図１４】
2005101458.tif 000016
【図１５】
2005101458.tif 000017
【図１６】
2005101458.tif 000018
【図１７】
2005101458.tif 000019
【図１８】
2005101458.tif 000020
【図１９】
2005101458.tif 000021
【図２０】
2005101458.tif 000022
【図２１】
2005101458.tif 000023
【図２２】
2005101458.tif 000024
【図２３】
2005101458.tif 000025
【図２４】
2005101458.tif 000026
【図２５】
2005101458.tif 000027
【図２６】
2005101458.tif 000028
【図２７】
2005101458.tif 000029
【図２８】
2005101458.tif 000030
【図２９】
2005101458.tif 000031
【図３０】
2005101458.tif 000032
【図３１】
2005101458.tif 000033
【図３２】
2005101458.tif 000034
【図３３】
2005101458.tif 000035
【図３４】
2005101458.tif 000036
【図３５】
2005101458.tif 000037
【図３６】
2005101458.tif 000038
【図３７】
2005101458.tif 000039
【図３８】
2005101458.tif 000040
【図３９】
2005101458.tif 000041